(57)【要約】【課題】弾丸を回収するための装置を透過して標的を視認することができる。【解決手段】標的装置１３は、少なくとも正面に、ソフトエアガンにより発射された弾丸を内部に導入する開口部４５が形成された装置本体３１と、装置本体３１の上側から下側に向かうに従い背面側から正面側に向かう傾斜角度で、装置本体３１の内部に配置される標的板４１と、標的板４１で反射した弾丸を収容する収納部３２とを備えており、標的板４１が透明な部材により構成される。本発明は、例えば、ソフトエアガンにより射的される標的装置に適用できる。【選択図】図２
2014025678.tif 000002
【特許請求の範囲】
【請求項１】
少なくとも正面に、ソフトエアガンにより発射された弾丸を内部に導入する開口部が形成された筐体と、
前記筐体の上側から下側に向かうに従い背面側から正面側に向かう傾斜角度で、前記筐体の内部に配置された標的板と、
前記標的板で反射した前記弾丸を収容する収容部と
を備え、
前記標的板は、透明な部材により構成されている
標的システム。
【請求項２】
前記標的板との間隔が前記筐体の正面側から背面側の上方に向かって狭まる傾斜角度で配置された反射板
をさらに備える請求項１に記載の標的システム。
【請求項３】
前記標的板またはその近傍の複数箇所に固定され、前記弾丸が前記標的板に着弾したときの衝撃波を検出する検出手段を
さらに備える請求項１または２に記載の標的システム。
【請求項４】
前記標的に対応する標的画像を表示するとともに、前記検出手段により検出された衝撃波に基づいて算出される前記標的板に前記弾丸が着弾した着弾位置を前記標的画像上に表示する表示手段を
さらに備える請求項３に記載の標的システム。
【請求項５】
前記表示手段には、前記検出手段により検出された衝撃波に基づいて算出される前記標的板に前記弾丸が着弾したときの速度およびエネルギーのうちの少なくとも一方が表示される
請求項４に記載の標的システム。
【請求項６】
前記収容部は、前記筐体よりも背面側に配置されており、
前記筐体の背面側には、前記標的板よりも上方に、前記標的板で反射した前記弾丸を前記収容部に導入する開口部が設けられている
請求項１乃至５のいずれかに記載の標的システム。
【請求項７】
前記標的板と前記反射板の傾斜角度は、正面側の前記開口部から入射した前記弾丸が前記標的板および前記反射板の間で反射することによって、前記筐体の背面側に設けられている前記開口部に案内されるように設定されている
請求項２乃至６のいずれかに記載の標的システム。
【請求項８】
前記筐体の背面側には、前記反射板と前記筐体の上面板との間に、前記反射板の上面で反射した前記弾丸を前記収容部に導入する開口部が設けられている
請求項７に記載の標的システム。
【請求項９】
前記標的板と前記反射板の傾斜角度は、正面側の前記開口部から入射した前記弾丸が前記標的板および前記反射板の間で反射することによって、前記反射板と前記筐体の上面板との間に設けられた領域の入口に案内されるように設定されている
請求項２乃至５のいずれかに記載の標的システム。
【請求項１０】
前記収容部は、前記筐体の側面に配置されており、
前記反射板と前記筐体の上面板との間に設けられた領域内に導入された前記弾丸が、前記収容部が配置されている側面側に向かって転がるように傾斜する傾斜面が設けられている
請求項９に記載の標的システム。
【発明の詳細な説明】
【技術分野】
【０００１】
本発明は、標的システムに関し、特に、弾丸を回収するための装置を透過して標的を視認可能な標的システムに関する。
【背景技術】
【０００２】
従来より、プラスチック製の弾丸（以下、ＢＢ弾（Ball Bullet）と称する）を低圧の圧縮空気などで発射する機構を備えたトイガンであるソフトエアガンを使用して、ＢＢ弾が標的に着弾したときの着弾位置の精密さを競う射的競技が行われている。また、標的に当たったＢＢ弾が散らばることがないように、ＢＢ弾を回収する回収機能を備えた標的が提案されている。
【０００３】
例えば、特許文献１には、所定の傾斜角度で的板を配置し、的板に跳ね返った弾丸を後方に誘導して回収可能なソフトエアガン用の計時標的装置が開示されている。
【先行技術文献】
【特許文献】
【０００４】
【特許文献１】特開２００９−１９２１０３号公報
【発明の概要】
【発明が解決しようとする課題】
【０００５】
しかしながら、特許文献１で開示されている装置では、弾丸の回収は可能であるものの、例えば、装置の背後にディスプレイを配置してディスプレイに表示される標的画像を目標とした射的を行うことはできなかった。
【０００６】
本発明は、このような状況に鑑みてなされたものであり、弾丸を回収するための装置を透過して標的を視認可能にすることができるようにするものである。
【課題を解決するための手段】
【０００７】
本発明の第１の側面の標的システムは、少なくとも正面に、ソフトエアガンにより発射された弾丸を内部に導入する開口部が形成された筐体と、前記筐体の上側から下側に向かうに従い背面側から正面側に向かう傾斜角度で、前記筐体の内部に配置された標的板と、前記標的板で反射した前記弾丸を収容する収容部とを備え、前記標的板は、透明な部材により構成されている。
【０００８】
本発明の第１の側面においては、少なくとも正面に、ソフトエアガンにより発射された弾丸を内部に導入する開口部が形成された筐体の内部に、筐体の上側から下側に向かうに従い背面側から正面側に向かう傾斜角度で、筐体の内部に標的板が配置され、標的板で反射した弾丸を収容する収容部を備える。そして、標的板は、透明な部材により構成されている。
【発明の効果】
【０００９】
本発明の第１の側面によれば、弾丸を回収するための装置を透過して標的を視認可能にすることができる。
【図面の簡単な説明】
【００１０】
【図１】標的システムの第１の実施の形態の構成例の正面図である。
【図２】標的システムの第１の実施の形態の構成例の側面図である。
【図３】標的システムの第２の実施の形態の構成例の正面図である。
【図４】標的システムの第２の実施の形態の構成例の側面図である。
【図５】標的システムの第３の実施の形態の構成例の側面図である。
【図６】標的システムの第４の実施の形態の構成例の正面図である。
【図７】標的システムの第４の実施の形態の構成例の側面図である。
【図８】標的システムの第４の実施の形態の構成例の側面図である。
【発明を実施するための形態】
【００１１】
以下、本発明を適用した具体的な実施の形態について、図面を参照しながら詳細に説明する。
【００１２】
図１および図２を参照して、本発明を適用した標的システムの第１の実施の形態の構成例について説明する。図１には、標的システムの正面図が示されており、図２には、標的システムの側面図が示されている。
【００１３】
図１および図２に示すように、標的システム１１は、ノート型パーソナルコンピュータ１２および標的装置１３が組み合わされて構成される。ノート型パーソナルコンピュータ１２および標的装置１３は、図示しない通信ケーブルを介して、または、無線通信を利用して接続される。
【００１４】
ノート型パーソナルコンピュータ１２は、CPU（Central Processing Unit）やメモリなどを内蔵する本体部２１、および、液晶パネルなどの表示部を有するモニタ部２２を備え、本体部２１に対してモニタ部２２が開閉可能に構成されている。そして、ノート型パーソナルコンピュータ１２において射的用のアプリケーションソフトウェア（プログラム）が実行されると、モニタ部２２には、ユーザが射的を行う際の目標となる標的が描画された標的画像２３が表示される。
【００１５】
標的装置１３は、ユーザにより標的画像２３に向かって発射されたＢＢ弾を回収する回収機構、および、ＢＢ弾が着弾した位置を検出するための信号を出力する機能を備えている。標的装置１３は、装置本体３１および収納部３２が連結されて構成されており、ノート型パーソナルコンピュータ１２の本体部２１の上方に配置するための脚部３３に装置本体３１が載置されて固定される。また、装置本体３１は、ノート型パーソナルコンピュータ１２のモニタ部２２の前方に配置され、収納部３２は、ノート型パーソナルコンピュータ１２のモニタ部２２の後方に配置される。
【００１６】
装置本体３１は、直方体の形状をした箱であり、その筐体の前方および後方が開口している。即ち、装置本体３１は、上面板３１ａ、下面板３１ｂ、右側面板３１ｃ、および左側面板３１ｄにより筐体の上下面および左右面が構成されている。そして、装置本体３１の内部には、標的板４１および反射板４２が配置されており、標的板４１の背面に衝撃センサ４３−１乃至４３−４が取り付けられるとともに、標的板４１の背後側の空間に信号処理基板４４が設置されている。
【００１７】
標的板４１は、装置本体３１の内部においてモニタ部２２の前面側、即ち、モニタ部２２に表示される標的画像２３に対して射的を行うユーザ側に配置される透明な板状の部材である。また、標的板４１は、その下側が前方に傾斜するように固定される。標的板４１としては、例えば、厚さ２ｍｍのポリカーボネートなどの透明な素材が使用され、ユーザは、透明な標的板４１を介して標的画像２３を視認することができる。
【００１８】
反射板４２は、装置本体３１の内部において標的板４１の上方に配置される透明な板状の部材であり、その下側が前方に傾斜するように固定される。反射板４２としては、例えば、厚さ２ｍｍのポリカーボネートなどの透明な素材が使用される。
【００１９】
ここで、標的板４１および反射板４２は、正面側から背面側の上方に向かって間隔が狭まるような傾斜角度で装置本体３１の内部に固定される。具体的には、標的板４１は、装置本体３１の上側から下側に向かうに従い背面側から正面側に向かうように、装置本体３１の下面板３１ｂに対して傾斜角度６３°となるように固定される。また、反射板４２は、装置本体３１の上側から下側に向かうに従い背面側から正面側に向かうように、装置本体３１の上面板３１ａに対して傾斜角度２２°となるように固定される。なお、標的板４１および反射板４２の傾斜角度は、開口部４５から入射したＢＢ弾が標的板４１および反射板４２の間で反射することによって、標的板４１よりも上側に設けられた開口部４７に案内されて、収納部３２に導入されるように設定されている。
【００２０】
標的板４１は、前方側にある下端が、装置本体３１の下面板３１ｂに接するように配置され、後方側にある上端が、装置本体３１の上面板３１ａから所定の間隔を設け、かつ、ノート型パーソナルコンピュータ１２のモニタ部２２よりも高くなるように配置されて固定される。また、反射板４２は、前方側にある下端が、標的板４１の上端より若干低くなる高さで、装置本体３１の前面に略一致するように配置され、後方側にある上端が、装置本体３１の上面板３１ａからＢＢ弾が通過可能となる程度の間隔を設けて配置されて固定される。
【００２１】
このように反射板４２が固定されることで、装置本体３１の前方の開口部は、反射板４２の下方に設けられる開口部４５と、反射板４２の上方に設けられる開口部４６とに分けられることになる。同様に、装置本体３１の後方の開口部は、反射板４２の下方に設けられる開口部４７と、反射板４２の上方に設けられる開口部４８とに分けられることになる。
【００２２】
従って、図２において一点鎖線で示されているＢＢ弾の経路のように、開口部４５を通過して装置本体３１に入ったＢＢ弾は、標的板４１および反射板４２の間で跳ね返った後、開口部４７を通過して収納部３２に導入される。また、開口部４６を通過して装置本体３１に入ったＢＢ弾は、反射板４２および上面板３１ａの間で跳ね返った後、開口部４８を通過して収納部３２に導入される。つまり、標的装置１３には、標的板４１および反射板４２の間に設けられ、標的板４１で反射したＢＢ弾を収納部３２に導入するための導入口となる開口部４５と、反射板４２および上面板３１ａの間に設けられ、反射板４２の上面で反射したＢＢ弾を収納部３２に導入するための導入口となる開口部４６とが設けられている。
【００２３】
衝撃センサ４３−１乃至４３−４は、標的板４１の四隅の近傍にそれぞれ装着され、ユーザが射的を行うことにより標的板４１にＢＢ弾が着弾することで発生する衝撃波（加速度の変化）を検出し、その衝撃波を表す信号である衝撃波信号を信号処理基板４４に出力する。なお、本願において、衝撃波とは、標的板４１にＢＢ弾が着弾して跳ね返ることによって、瞬間的な力が標的板４１に加わることにより発生し、物体および空気を伝わる振動のことを指すものとする。
【００２４】
信号処理基板４４は、衝撃センサ４３−１乃至４３−４から出力される衝撃波信号それぞれに対する信号処理を行い、図示しない通信ケーブルを介して、信号処理を施した信号をノート型パーソナルコンピュータ１２に供給する。例えば、信号処理基板４４は、衝撃波信号を増幅して全波整流し、その振幅のピーク値を保持したピークホールド信号を出力したり、ピークホールド信号を積分して得られる信号が基準値以上となったタイミングを示す衝撃波検出時刻信号を出力する。
【００２５】
収納部３２は、２つの取付金具５１−１および５１−２を利用して、装置本体３１の背面の上側部分に着脱可能に取り付けられる。例えば、取付金具５１−１および５１−２の先端には下方に向かって突出する突起部が形成されており、取付金具５１−１および５１−２の突起部が、装置本体３１の上面板３１ａに形成されている穴部に係合することにより、収納部３２が装置本体３１に取り付けられる。なお、取付金具５１−１および５１−２の取付位置は調整可能とされており、モニタ部２２の厚みに応じて適切な長さで収納部３２の前方に突出するように取付金具５１−１および５１−２の取付位置が調整される。
【００２６】
また、収納部３２の前方の側面を構成する前側面板３２ａには、クッション材５２が貼着されており、収納部３２が装置本体３１に取り付けられた状態で、クッション材５２がモニタ部２２の背面に当接する。
【００２７】
収納部３２の内部には、反射板５３が傾斜した状態で固定されており、反射板５３と前側面板３２ａとの間には、ＢＢ弾が通過可能な間隔５４が設けられる。そして、開口部４７または開口部４８を通過して収納部３２に導入されたＢＢ弾は、収納部３２の内部において複数回の反射を繰り返すことにより運動エネルギーが減衰し、反射板５３と前側面板３２ａとの間の間隔５４を通過して、反射板５３の下方の空間に収納される。
【００２８】
また、収納部３２の右方の側面を構成する右側面板３２ｂには取り出し口５５が形成されており、取り出し口５５は、回転スライド部５６が回転することにより開閉可能とされている。つまり、収納部３２の内部に収納されたＢＢ弾は、回転スライド部５６を回転させて取り出し口５５を開放することにより、取り出し口５５から取り出すことができる。
【００２９】
以上のように構成されている標的システム１１では、標的装置１３の装置本体３１の背後に配置されているノート型パーソナルコンピュータ１２のモニタ部２２に表示される標的画像２３を、透明な標的板４１を介してユーザが視認して射的を行うことができる。これにより、標的システム１１では、様々な種類の標的画像２３（例えば、異なる大きさの標的が表示される標的画像や、標的が移動するように表示される標的画像など）をモニタ部２２に表示して、ユーザに射的を行わせることができる。
【００３０】
また、ノート型パーソナルコンピュータ１２は、信号処理基板４４から供給される衝撃波検出時刻信号に基づいて、ＢＢ弾が標的板４１に着弾した着弾位置を算出し、標的画像２３における着弾位置に対応する箇所に、図１において黒丸で表されるように着弾マークを表示させる。このように、標的システム１１では、射的を行うたびに標的画像２３に着弾マークが表示されるので、ユーザは、よりリアルで臨場感のある射的を体験することができ、次の射的の照準修正を自然に行うことができる。
【００３１】
さらに、標的システム１１では、標的装置１３によりＢＢ弾を回収することができるので、煩わしいＢＢ弾の回収を不要にすることができる。なお、図２では、開口部４５の中央を通過するＢＢ弾の経路のみが表示されているが、開口部４５の上端近傍および下端近傍を通過するＢＢ弾についても、標的板４１および反射板４２の間で跳ね返って確実に収納部３２に収納することができる。また、図２に示されているＢＢ弾の経路は、例えば、所定の傾斜角度で固定されたポリカーボネート製の板に対する射的を、傾斜角度を変えながら繰り返し行って求められたＢＢ弾の跳ね返り角度に基づくものである。
【００３２】
また、ノート型パーソナルコンピュータ１２は、信号処理基板４４から供給されるピークホールド信号に基づいて、ＢＢ弾が標的板４１に着弾した際の弾速およびエネルギーを求めて、図示しないが、モニタ部２２に表示することができる。このように、標的システム１１では、弾速およびエネルギーをモニタ部２２に表示することで、よりユーザの利便性を高めることができる。なお、弾速およびエネルギーのいずれか一方が表示されるようにしてもよい。
【００３３】
なお、収納部３２は、図２に示されている構成に限られるものではなく、例えば、枠部と布とを組み合わせて折り畳み可能に構成してもよい。また、収納部３２の内部に、ＢＢ弾の運動エネルギーを低減させるための布を垂下させてもよい。
【００３４】
次に、図３および図４を参照して、本発明を適用した標的システムの第２の実施の形態の構成例について説明する。図３には、標的システムの正面図が示されており、図４には、標的システムの側面図が示されている。
【００３５】
図３および図４に示すように、標的システム１１Ａは、図１および図２を参照して説明した標的システム１１と同様に、ノート型パーソナルコンピュータ１２および標的装置１３Ａが組み合わされて構成される。
【００３６】
標的装置１３Ａは、装置本体３１’および収納部３２が連結されて構成されており、装置本体３１’が、図１および図２の装置本体３１と異なる構成とされている。なお、以下適宜、標的システム１１と共通する構成については詳細な説明を省略する。
【００３７】
標的装置１３Ａでは、装置本体３１’が、前方側の上部に前側面板３１ｅを備えているとともに、反射板４２の前方側の下端が前側面板３１ｅの下端に接し、反射板４２の後方側の上端が装置本体３１の上面板３１ａに接するように配置されて反射板４２が固定されている点で、標的装置１３の装置本体３１と異なる構成とされている。
【００３８】
即ち、標的装置１３では、開口部４５および開口部４６が設けられていたのに対し、標的装置１３Ａでは、開口部４５だけが設けられた構成とされている。また、標的装置１３Ａでは、反射板４２の上方の空間に信号処理基板４４が配置されている。
【００３９】
このように構成されている標的装置１３Ａを用いた標的システム１１Ａにおいても、標的システム１１と同様に、開口部４５を通過して標的装置１３Ａに入ったＢＢ弾を回収することができるとともに、ユーザは、装置本体３１’の背後に配置されているノート型パーソナルコンピュータ１２のモニタ部２２に表示される標的画像２３を視認して射的を行うことができる。
【００４０】
次に、図５を参照して、本発明を適用した標的システムの第３の実施の形態の構成例について説明する。図５には、標的システムの側面図が示されている。
【００４１】
図５に示すように、標的システム１１Ｂは、標的装置１３Ｂおよびモニタ１４が組み合わされて構成される。モニタ１４は、図示しないパーソナルコンピュータに接続されており、パーソナルコンピュータから出力される標的画像２３（図１）を表示する。
【００４２】
標的装置１３Ｂは、装置本体３１’および収納部３２’が連結されて構成されており、装置本体３１’の背面に直接的に収納部３２’が配置されている。即ち、標的システム１１では、標的装置１３が装置本体３１および収納部３２によりモニタ部２２を挟み込むように構成されていたのに対し、標的システム１１Ｂは、装置本体３１および収納部３２の間に挟み込めないような大きさのモニタ１４を使用する場合の構成とされる。
【００４３】
装置本体３１’は、図３および図４に示した標的装置１３Ａの装置本体３１’と同様に構成されている。
【００４４】
収納部３２’は、上述の収納部３２と異なり、装置本体３１’と略同一の高さとなるように形成されている。また、収納部３２’は、背面側に配置されるモニタ１４をユーザが視認することができるように、少なくとも前側面板３２ａ、後側面板３２ｃ、および反射板５３が透明な部材により構成されている。
【００４５】
このように構成される標的システム１１Ｂにおいても、標的システム１１と同様に、開口部４５を通過して標的装置１３Ｂに入ったＢＢ弾を回収することができるとともに、ユーザは、標的装置１３Ｂの背後に配置されているモニタ１４に表示される標的画像２３を視認して射的を行うことができる。
【００４６】
次に、図６および図７を参照して、本発明を適用した標的システムの第４の実施の形態の構成例について説明する。図６には、標的システムの正面図が示されており、図７には、標的システムの側面図が示されている。
【００４７】
図６および図７に示すように、標的システム１１Ｃは、装置本体６１の側面に収納ケース６２が装着される標的装置１３Ｃにより構成される。
【００４８】
装置本体６１の内部には、標的システム１１と同様に、標的板４１および反射板４２が配置されており、標的板４１の背面に衝撃センサ４３−１乃至４３−４が取り付けられるとともに、信号処理基板４４が配置されている。
【００４９】
また、装置本体６１は、筐体７１、的紙７２、背面板７３、反射板７４、保護反射板７５、および傾斜面７６を備えて構成される。
【００５０】
筐体７１は、上面板７１ａ、下面板７１ｂ、右側面板７１ｃ、および左側面板７１ｄにより上下面および左右面が構成されるとともに、前面側の上部に前側面板７１ｅが設けられ、後面側の上部に後側面板７１ｆが設けられている。そして、筐体７１の前側面板７１ｅの下方に開口部４５が設けられている。また、筐体７１の背面側の開口部には、的紙７２の標的が標的装置１３Ｃの正面側を向くように、筐体７１との間で的紙７２を挟み込むようにして背面板７３が装着される。
【００５１】
的紙７２には、例えば、直径の異なる複数の輪が同心円となるように配置された標的が描かれており、標的装置１３Ｃでは、図１のようなモニタ部２２の標的画像２３に替えて、的紙７２の標的を狙って射的が行われる。
【００５２】
背面板７３は、筐体７１に対して着脱可能とされており、射的競技に応じて的紙７２を容易に交換することができる。なお、図８を参照して後述するように、的紙７２を取り外して使用する際に、標的装置１３Ｃの背後に配置されるモニタ部２２をユーザが視認可能となるように、背面板７３には、例えば、ポリカーボネートなどの透明な素材が使用される。
【００５３】
反射板７４は、筐体７１の後方側の上端に所定の傾斜角度となるように、例えば、クッション材を介して貼着されており、標的板４１および反射板４２の間を反射して反射板７４に向かってくるＢＢ弾を反射板４２および上面板７１ａの間の空間に向かって反射する。即ち、装置本体６１では、標的板４１と反射板４２の傾斜角度が、正面側の開口部４５から入射したＢＢ弾が標的板４１および反射板４２の間で反射することによって、反射板４２と上面板７１ａとの間に設けられた領域の入口（例えば、図７において、標的板４１および反射板４２の間隔が最も狭まる隙間）にＢＢ弾を案内するように設定されており、標的板４１および反射板４２により案内されたＢＢ弾が反射板７４により反射される。
【００５４】
保護反射板７５は、ポリカーボネート製の板であり、反射板７４で反射して反射板４２および上面板７１ａの間の空間に導かれたＢＢ弾の衝撃を受け止めて反射する。保護反射板７５で反射したＢＢ弾は、反射板４２および上面板７１ａと、保護反射板７５との間で反射を繰り返すことによりエネルギーが低減した後、反射板４２の上面を転がって保護反射板７５の下方の隙間を通過する。また、保護反射板７５は、ＢＢ弾から信号処理基板４４を保護するために、前側面板７１ｅの内側に固定されている信号処理基板４４の近傍に配置される。
【００５５】
傾斜面７６は、図６に示すように、筐体７１の左側から右側に向かって下るような傾斜で、即ち、収納ケース６２に向かってＢＢ弾が転がるような傾斜で、筐体７１の前側面板７１ｅの内側に配置されている。また、傾斜面７６の右端は、筐体７１の右側面板７１ｃに形成されている取り出し口５５の下辺に一致するように配置されている。
【００５６】
筐体７１の右側面板７１ｃには、取付金具を利用して収納ケース６２が着脱可能に装着されており、傾斜面７６を転がって取り出し口５５を通過したＢＢ弾が収納ケース６２の内部に収納される。
【００５７】
このように構成されている標的システム１１Ｃにおいて、ユーザは、透明な標的板４１を介して、装置本体６１の背面に装着される的紙７２の標的を視認しながら射的を行うことができる。そして、標的システム１１Ｃでは、開口部４５を通過して標的装置１３Ｃの装置本体６１に入ったＢＢ弾は、標的板４１および反射板４２の間で跳ね返った後、反射板７４において反射することにより反射板４２および上面板７１ａの間の空間に導入される。そして、反射板４２および上面板７１ａの間の空間において反射を繰り返すことによりＢＢ弾の運動エネルギーが低減し、傾斜面７６を転がって収納ケース６２に収納することができる。
【００５８】
また、標的装置１３Ｃでは、図７に示すように、標的板４１および反射板４２の間で少なくとも３回跳ね返ることにより、標的板４１および反射板４２の間隔を通過して反射板７４に向かうような経路で、ＢＢ弾が、反射板４２および上面板７１ａの間の空間に導入される。なお、開口部４５の上端近傍および下端近傍を通過するＢＢ弾についても、標的板４１および反射板４２の間で少なくとも３回跳ね返った以降は、図７に示すのとほぼ同じような経路となる。
【００５９】
次に、図８には、標的システム１１Ｃをノート型パーソナルコンピュータ１２と組み合わせて使用する際の構成が示されている。
【００６０】
図８に示すように、標的システム１１Ｃをノート型パーソナルコンピュータ１２と組み合わせて使用する際には、図７の的紙７２が取り外され、ノート型パーソナルコンピュータ１２のモニタ部２２の前方に標的システム１１Ｃが配置される。また、図８に示すように、筐体７１の上面板７１ａに沿って前方に延在するように、例えば、ポリカーボネートなどの透明な素材が使用される庇部材６３が、標的装置１３Ｃに装着される。
【００６１】
このように、標的システム１１Ｃをノート型パーソナルコンピュータ１２と組み合わせて使用することにより、図１および図２を参照して説明したように、標的画像２３における着弾位置に対応する箇所に着弾マークを表示させて射的を行わせることができる。
【００６２】
また、標的システム１１Ｃでは、ノート型パーソナルコンピュータ１２のモニタ部２２の前方に標的板４１および背面板７３が配置されることになり、モニタ部２２が二重に保護されるので、モニタ部２２に向かって射的を行うユーザに安心感を与えることができる。なお、図５に示したようなモニタ１４と組み合わされて使用される場合には、背面板７３を、モニタ１４を保護することができる大きさのものに付け替えてもよい。
【００６３】
また、筐体７１は、例えば、プラスチック製とすることができ、筐体７１の両側の内側面に標的板４１や反射板４２などの位置に応じて溝を形成して、この溝により標的板４１や反射板４２を両側から支持するように構成されている。また、例えば、左側面板７１ｄは、標的板４１を支持する部分を取り外すことができるように構成されており、その部分を取り外した状態で標的板４１を左側に抜き出すことにより、標的板４１を交換可能とすることができる。なお、標的板４１以外の反射板４２などは取り外す必要がなく固定されている。
【００６４】
さらに、衝撃センサ４３−１乃至４３−４は、図示しないクッション材を介して背面側からＬ字形状の固定治具を利用して標的板４１の背面に押し付けられるように固定されている。衝撃センサ４３−１乃至４３−４と固定治具との間のクッション材は両面テープとされ衝撃センサ４３−１乃至４３−４および固定治具の両方に貼着され、衝撃センサ４３−１乃至４３−４と標的板４１との間のクッション材は片面テープとされ衝撃センサ４３−１乃至４３−４に貼着される。そして、筐体７１の右側面板７１ｃおよび左側面板７１ｄに固定治具を取り付けるために固定治具に形成される取付穴は長穴とされ、標的板４１を交換するときには、衝撃センサ４３−１乃至４３−４を長穴に沿って後方にスライドさせることにより、標的板４１から衝撃センサ４３−１乃至４３−４を若干離すことができる。
【００６５】
また、筐体７１を透明な樹脂により構成することで、筐体７１の内部におけるＢＢ弾の動きをユーザが確認することができ、標的装置１３ＣによりＢＢ弾を確実に回収することができるような射撃方向などをユーザが把握することができるようになるため、標的システム１１Ｃを使用する際の安全性を向上させることができる。
【００６６】
なお、標的システム１１Ｃにおいて、装置本体６１の側面に収納ケース６２を装着する構成を採用する他、例えば、収納ケース６２を装着せずに、取り出し口５５に対して回転スライド部５６（図２）を取り付け、反射板４２および上面板７１ａの間の空間にＢＢ弾が溜まるような構成を採用してもよい。
【００６７】
さらに、標的システム１１Ｃでは、標的板４１を、衝撃センサ４３−１および４３−２より若干上側の部分で分割して、２枚の板が連続して配置されるような構成とすることができる。つまり、衝撃センサ４３−１乃至４３−４が取り付けられる部分の周囲の構造（例えば、角部からの間隔）が、それぞれ同様の構造となるようにすることができる。これにより、衝撃センサ４３−１乃至４３−４の検出値への構造による影響が均一化され、着弾位置を安定的に検出することができるとともに、標的板４１が傷んだ際に交換する部分を小面積化することができる。
【００６８】
なお、上述した各実施の形態では、射的を行う際にノート型パーソナルコンピュータ１２のキーボードやタッチパッドなどを操作することはできないため、ワイヤレス通信の可能なマウスを使用してノート型パーソナルコンピュータ１２に対する操作が行われる。そして、例えば、標的システム１１から１０ｍ程度離れた位置から射的を行う場合、ノート型パーソナルコンピュータ１２のモニタ部２２に、射的競技の開始を指示するスタートボタンや、競技結果をクリアするリセットボタンなどのユーザインタフェースを拡大表示させることができ、ユーザは、その位置からワイヤレス通信の可能なマウスを使用して操作を行うことができる。
【００６９】
なお、標的板４１の材質やサイズによっては、衝撃波を検出する検出手段として、衝撃センサ４３に替えて、衝撃波により発生する音響を検知する音響センサを用いることができる。また、音響センサを用いる場合には、例えば、図１に示すように標的板４１に衝撃センサ４３を直接的に取り付けるのではなく、標的板４１から僅かに離れた位置に音響センサが保持される構成が採用される。つまり、標的装置１３では、標的板４１に対して直接的に衝撃センサ４３が固定される他、標的板４１の近傍に音響センサを固定した構成とすることができる。
【００７０】
さらに、標的システム１１は、装置本体３１内の標的板４１の背後の位置に、標的画像２３を表示可能な表示手段を内蔵した構成とすることができ、これにより、ノート型パーソナルコンピュータ１２に接続することなく標的装置１３単独で使用することができる。
【００７１】
なお、本明細書において、システムとは、複数の装置により構成される装置全体を表すものである。また、本発明の実施の形態は、上述した実施の形態に限定されるものではなく、本発明の要旨を逸脱しない範囲において種々の変更が可能である。
【符号の説明】
【００７２】
１１  標的システム，  １２  ノート型パーソナルコンピュータ，  １３  標的装置，  ２１  本体部，  ２２  モニタ部，  ２３  標的画像，  ３１  装置本体，  ３２  収納部，  ３３  脚部，  ４１  標的板，  ４２  反射板，  ４３−１乃至４３−４  衝撃センサ，  ４４  信号処理基板，  ４５乃至４８  開口部，  ５１−１および５１−２  取付金具，  ５２  クッション材，  ５３  反射板，  ５４  間隔，  ５５  取り出し口，  ５６  回転スライド部
【図１】
2014025678.tif 000003
【図２】
2014025678.tif 000004
【図３】
2014025678.tif 000005
【図４】
2014025678.tif 000006
【図５】
2014025678.tif 000007
【図６】
2014025678.tif 000008
【図７】
2014025678.tif 000009
【図８】
2014025678.tif 000010